(57)【特許請求の範囲】
【請求項１】
複数のサイドドラムが装着される装着部と、前記装着部を支持する支柱と、前記支柱に設けられて水平方向に延びる支持バーとを備えるサイドドラムの支持装置であって、
前記装着部は、前記支持バーに対しその軸線に沿って移動可能に支持され、
前記装着部は、前記支持バーを前記装着部に固定するための締付具と、前記複数のサイドドラムを装着すると共に当該サイドドラムの角度を調節するための複数の角度調節機構とを備え、
前記締付具は、締め付けることで前記支持バーを前記装着部に固定すると共に、緩めることで前記支持バーに対する前記装着部の水平方向での位置を変更して前記サイドドラムの水平方向の位置を調節することを特徴とするサイドドラムの支持装置。
【請求項２】
請求項１に記載のサイドドラムの支持装置において、
前記装着部は、前記支持バーの軸線に沿って延びる凹部を有し、前記凹部にて前記支持バーに対して支持されていることを特徴とするサイドドラムの支持装置。
【請求項３】
請求項２に記載のサイドドラムの支持装置において、
前記装着部は、前記支持バーと前記凹部との係合により同支持バーの軸線周りの回動を規制されていることを特徴とするサイドドラムの支持装置。
【請求項４】
請求項３に記載のサイドドラムの支持装置において、
前記支持バーは断面多角形状を有し、前記凹部は断面多角形状を有し、前記装着部は、前記凹部の内壁面を前記支持バーの外側面に接触させて支持されていることを特徴とするサイドドラムの支持装置。
【請求項５】
請求項４に記載のサイドドラムの支持装置において、
前記凹部内において前記支持バーと前記装着部との間にはガイド板が設けられていることを特徴とするサイドドラムの支持装置。
【請求項６】
請求項２〜５のうちいずれか一項に記載のサイドドラムの支持装置において、
前記装着部は、前記支持バーをその上方から覆うカバーと、同支持バーをその下方から支持するクランプと、前記カバーと前記クランプとを締め付けるための締付具とを備え、前記締付具により前記カバーと前記クランプとを締め付けることで前記支持バーに対して前記装着部が固定されることを特徴とするサイドドラムの支持装置。
【請求項７】
請求項６に記載のサイドドラムの支持装置において、
前記凹部は、前記カバーに設けられ、前記支持バーが挿通される挿通孔と、前記挿通孔から延長されて直線状に延びる第１溝と、前記クランプに設けられた第２溝とを含むことを特徴とするサイドドラムの支持装置。
【請求項８】
請求項１〜７のうちいずれか一項に記載のサイドドラムの支持装置において、
前記支持バーから前記装着部が脱落するのを防止するための脱落防止手段を備えていることを特徴とするサイドドラムの支持装置。
【請求項９】
請求項１〜８のうちいずれか一項に記載のサイドドラムの支持装置において、
前記支柱は、下段パイプと、前記装着部に前記支持バーを介して連結され、かつ前記下段パイプ内に挿入された上段パイプとを備え、前記下段パイプに対する前記上段パイプの位置を調節するための高さ調節機構を備えていることを特徴とするサイドドラムの支持装置。
【請求項１０】
請求項１〜９のうちいずれか一項に記載のサイドドラムの支持装置において、
バスドラムに固定される固定部を備え、前記固定部には前記支柱が着脱可能に装着されていることを特徴とするサイドドラムの支持装置。
【発明の詳細な説明】
【技術分野】
【０００１】
本発明は、サイドドラムを支持する支持装置に関する。
【背景技術】
【０００２】
一般に、ドラムセットには一対のサイドドラムが含まれており、各サイドドラムは、バスドラムの上に支持装置を介して支持されたり、バスドラムの側方にスタンドを介して配置されたりしている。サイドドラムの支持装置は、サイドドラムが装着される装着部と、その装着部を支持する支持パイプとを備えている。また、種々の大きさのサイドドラムに対応可能な支持装置として、サイドドラムの高さや角度を調節する機構と共に、水平方向（例えば前後方向）の位置を調節する機構を備えたものが実用化されている。この種の支持装置として、例えば図１２〜図１５に示される構成のものが知られている。
【０００３】
図１２に示される装置では、バスドラムＢＤの胴体に取付具１２１が固定され、同取付具１２１に対して支持バー１２２が移動可能に支持されている（例えば、特許文献１、特許文献２参照）。支持バー１２２は、その前端に上方に延びる支持パイプ１２３を有し、支持パイプ１２３には、装着部１２４を介してサイドドラムＳＤが装着されている。この構成では、支持バー１２２を取付具１２１に対して移動させることでサイドドラムＳＤの前後方向の位置が調節される。
【０００４】
また、図１３に示される装置では、角度調節機構１３０から水平方向に延びる支持バー１３１を備え、支持バー１３１の先端がサイドドラムＳＤの胴体内に側方から挿入され、クランプ１３２により固定されている。また、図１４に示される別の装置では、支持バー１４１の先端が、サイドドラムＳＤの側部に設けられたフローティング部材１４３に対してクランプ１４２により固定されている。これらの構成では、サイドドラムＳＤやフローティング部材１４３に対する支持バー１３１，１４１の固定位置を変更してサイドドラムＳＤの前後方向の位置が調節される。
【０００５】
また、図１５に示される装置では、角度調節機構と前後位置調節機構とを併せ持つホルダユニット１５０が支持パイプ１５１の上端に装着されている。このホルダユニット１５０は、ユニット本体１５２と、ユニット本体１５２内に旋回可能に支持された一対のボール部材１５３と、各ボール部材１５３の孔１５３ａに摺動可能に挿入された支持バー１５４とを備えている。そして、各支持バー１５４によりサイドドラムが支持される。この構成では、各支持バー１５４を各ボール部材１５３と共に回動させることでサイドドラムの角度が調節されると共に、各支持バー１５４をボール部材１５３の孔１５３ａ内で摺動させることによりサイドドラムの前後方向の位置が調節される。
【特許文献１】米国特許第５９７３２４８号明細書
【特許文献２】米国特許第５９４９００９号明細書
【発明の開示】
【発明が解決しようとする課題】
【０００６】
ところで、複数のサイドドラムがバスドラム上に設置される場合、ドラムを演奏する際に、各サイドドラムの高さ、角度、及び各サイドドラム間の位置関係等が最も演奏し易い位置に配置される。ところが、図１２に示される装置では、サイドドラムＳＤの荷重点Ｐと支持バー１２２の固定点Ｑとの間隔ｄ１が広いため、固定点Ｑに加えられる荷重が増大して取付具１２１と支持バー１２２との間にこじれが生じる。このため、サイドドラムＳＤを装着部１２４に装着した状態では、水平方向に移動させることが非常に困難になる。図１３及び図１４に示される装置では、特定の一つのサイドドラムＳＤを水平方向に移動させると、それとは別のサイドドラムＳＤとの位置関係が変化してしまうという欠点がある。特に、図１４に示される装置では、支持バー１４１をサイドドラムＳＤ内に挿入できないため、サイドドラムＳＤを水平方向に位置調節する際の調節量を充分に確保できないという欠点もある。又、図１５に示される装置では、ホルダユニット１５０が角度調節機構と位置調節機構とを併せ持つ構成であるため、サイドドラムＳＤの角度を調節すると前後方向の位置も変更されてしまう虞がある。従って、上記各従来構成を採用すれば、サイドドラムＳＤの水平方向の位置を調節できるものの、その調節を行い易いとは言い難く、この点において改善の余地を残すものとなっている。
【０００７】
本発明は、このような問題に鑑みてなされたものであり、その目的は、サイドドラムの水平方向の位置を容易に調節することの可能なサイドドラムの支持装置を提供することにある。
【課題を解決するための手段】
【０００８】
上記の目的を達成するために、請求項１に記載の発明は、複数のサイドドラムが装着される装着部と、前記装着部を支持する支柱と、前記支柱に設けられて水平方向に延びる支持バーとを備えるサイドドラムの支持装置であって、前記装着部は、前記支持バーに対しその軸線に沿って移動可能に支持され、前記装着部は、前記支持バーを前記装着部に固定するための締付具と、前記複数のサイドドラムを装着すると共に当該サイドドラムの角度を調節するための複数の角度調節機構とを備え、前記締付具は、締め付けることで前記支持バーを前記装着部に固定すると共に、緩めることで前記支持バーに対する前記装着部の水平方向での位置を変更して前記サイドドラムの水平方向の位置を調節することを要旨とする。
【０００９】
同構成によれば、支持バーに対しその軸線方向に装着部を移動させ、支持バーに対する装着部の位置を変更することによって、サイドドラムの水平方向の位置を調節することが可能になる。この場合、サイドドラムの荷重が作用する荷重点と支持バーが固定される固定点との間隔が従来構成の場合に比して大幅に縮小される。これにより、支持バーの固定点に加えられる荷重が低減されるため、支持バーとそれに支持される装着部との間にこじれが生じるのを極力抑制することができる。よって、サイドドラムを装着部に装着したままでも容易に水平移動させることが可能になる。
また、角度調節機構を通じてサイドドラムの角度を調節することができ、サイドドラムをより演奏し易い位置に配置することが可能になる。
【００１０】
請求項２に記載の発明は、請求項１に記載の発明において、前記装着部は、前記支持バーの軸線に沿って延びる凹部を有し、前記凹部にて前記支持バーに対して支持されていることを要旨とする。
【００１１】
同構成によれば、支持バーが装着部の凹部内を移動することによって、支持バーに対しその軸線に沿って装着部を円滑に移動させることができ、サイドドラムの水平方向の位置を容易に調節することが可能になる。
【００１２】
請求項３に記載の発明は、請求項２に記載のサイドドラムの支持装置において、前記装着部は、前記支持バーと前記凹部との係合により同支持バーの軸線周りの回動を規制されていることを要旨とする。
【００１３】
同構成によれば、サイドドラムの水平方向の位置を調節する場合や、ドラムの演奏時に外部から強い衝撃や振動が加えられる場合において、装着部に装着されたサイドドラムが支持バーの軸線周りに回動しないようにすることができる。これにより、支持バーに対して装着部を確実に固定することができ、位置調節後にサイドドラムをその位置に確実に保持することができる。
【００１４】
請求項４に記載の発明は、請求項３に記載の発明において、前記支持バーは断面多角形状を有し、前記凹部は断面多角形状を有し、前記装着部は、前記凹部の内壁面を前記支持バーの外側面に接触させて支持されていることを要旨とする。
【００１５】
同構成によれば、装着部に装着されたサイドドラムが支持バーの軸線周りに回動することをより確実に抑制することができ、支持バーに対して装着部をより確実に固定することができる。
【００１６】
請求項５に記載の発明は、請求項４に記載の発明において、前記凹部内において前記支持バーと前記装着部との間にはガイド板が設けられていることを要旨とする。
同構成によれば、装着部が支持バーに対して移動する際に、支持バーとガイド板とを互いに摺動させることによって、装着部を支持バーに対してより一層円滑に移動することが可能になる。
【００１７】
請求項６に記載の発明は、請求項２〜５のうちいずれか一項に記載の発明において、前記装着部は、前記支持バーをその上方から覆うカバーと、同支持バーをその下方から支持するクランプと、前記カバーと前記クランプとを締め付けるための締付具とを備え、前記締付具により前記カバーと前記クランプとを締め付けることで前記支持バーに対して前記装着部が固定されることを要旨とする。
【００１８】
同構成によれば、締付具によりカバーとクランプとを締め付けると、カバーとクランプとにより支持バーが強く挟持される。これにより、支持バーに対して装着部を一層確実に固定することができ、位置調節後にサイドドラムをその位置に一層確実に保持することができる。
【００１９】
請求項７に記載の発明は、請求項６に記載の発明において、前記凹部は、前記カバーに設けられ、前記支持バーが挿通される挿通孔と、前記挿通孔から延長されて直線状に延びる第１溝と、前記クランプに設けられた第２溝とを含むことを要旨とする。
【００２０】
同構成によれば、カバーとクランプとが締め付けられていなくても、支持バーがカバーの挿通孔に挿通されていることから、支持バーと装着部との間にガタが生じるのを極力抑制することができる。
【００２１】
請求項８に記載の発明は、請求項１〜７のうちいずれか一項に記載の発明において、前記支持バーから前記装着部が脱落するのを防止するための脱落防止手段を備えていることを要旨とする。
【００２２】
同構成によれば、サイドドラムの水平方向の位置を調節する際、重量物であるサイドドラムが装着部と共に支持バーから抜け落ちてしまうことを防止することができる。
【００２３】
請求項９に記載の発明は、請求項１〜８のうちいずれか一項に記載の発明において、前記支柱は、下段パイプと、前記装着部に前記支持バーを介して連結され、かつ前記下段パイプ内に挿入された上段パイプとを備え、前記下段パイプに対する前記上段パイプの位置を調節するための高さ調節機構を備えていることを要旨とする。
【００２４】
同構成によれば、高さ調節機構を通じてサイドドラムの高さを調節することができ、サイドドラムをより一層演奏し易い位置に配置することが可能になる。
請求項１０に記載の発明は、請求項１〜９のうちいずれか一項に記載の発明において、バスドラムに固定される固定部を備え、前記固定部には前記支柱が着脱可能に装着されていることを要旨とする。
【００２５】
同構成によれば、固定部から支持パイプを取外すことができ、別のバスドラムに対して支持パイプを付け替えることもできる。
【発明の効果】
【００２６】
本発明によれば、サイドドラムの水平方向の位置を容易に調節することの可能なサイドドラムの支持装置を提供することができる。
【発明を実施するための最良の形態】
【００２７】
以下、本発明を具体化した一実施形態について、図１〜図７を参照して説明する。
図１に示すように、支持装置としてのタムホルダ１０は、バスドラムＢＤに固定される固定部１２と、固定部１２から上方に延びる支柱としての支持パイプ１３と、２台のサイドドラムＳＤが装着される装着部１４とを備えている。このタムホルダ１０の構成を説明するに際し、支持パイプ１３側（図４で示す右側）を前部とし、それとは反対側（図４で示す左側）を後部とする。
【００２８】
図１〜図３に示すように、固定部１２は、ベース２１と、ベース２１及びバスドラムＢＤ間に介装される平板状のスペーサ２２と、バスドラムＢＤの内側に配置される支持板２３とを備えている。固定部１２は、ベース２１及びスペーサ２２の四隅が支持板２３を介してネジ２４により締結されることで、バスドラムＢＤの胴体の側面に対して固定されている。
【００２９】
ベース２１の上面には、支持パイプ１３を支持するための支持孔２５が開口されている。支持孔２５内には、同支持孔２５の軸線に沿って延びる溝２５ａが形成され、同溝２５ａ内には、長方形状の押え板２６が収納されている。そして、ベース２１の後方から挿入されるＴ型ボルト２８を締め付けることで、押え板２６を介し支持パイプ１３がベース２１に固定される一方、Ｔ型ボルト２８を緩めることで、支持パイプ１３の高さを調節したり、ベース２１から取外したりすることが可能になる。
【００３０】
支持パイプ１３は、下段パイプ３１と、上段パイプ３２とを備えている。下段パイプ３１には上段パイプ３２の下端が挿入され、上段パイプ３２は下段パイプ３１の内面と摺動し得る。下段パイプ３１の上端には、各サイドドラムＳＤの高さを調節するための高さ調節機構ＨＡが設けられている。
【００３１】
高さ調節機構ＨＡは固定及び可動のパイプクランプ３４ａ，３４ｂを備え、パイプクランプ３４ａを介して下段パイプ３１に固定されている。パイプクランプ３４ｂはピン３５により、パイプクランプ３４ａに対して回動可能に連結されている。また、両パイプクランプ３４ａ，３４ｂにはネジ３６が挿通され、ネジ３６の先端部にはワッシャを介してＴ型ナット３８が螺合されている。このＴ型ナット３８を締め付けると、上段パイプ３２が両パイプクランプ３４ａ，３４ｂにより強く挟持されて、下段パイプ３１に対して上段パイプ３２が固定される。一方、Ｔ型ナット３８を緩めると、下段パイプ３１に対する上段パイプ３２の位置を調節することが可能になる。これにより、支持パイプ１３の全体の長さが調節され、各サイドドラムＳＤの高さを調節することが可能になる。
【００３２】
下段パイプ３１の下端には、略環状のメモリロック３９がボルト及びナットにより装着されている。メモリロック３９は、固定部１２から起立する支持パイプ１３の高さや角度を決めるための位置決め部材として機能する。
【００３３】
上段パイプ３２の上端には、連結部材４０及び支持バー４１を介して装着部１４が装着されている。連結部材４０は、図４に示すように、下方に開口された固定穴４０ａと、側方に開口された固定穴４０ｂとを有している。下側の固定穴４０ａには、上段パイプ３２の上端が挿入され、上段パイプ３２は、連結部材４０に対して１本のピン４０ｃにより固定されている。また、上側の固定穴４０ｂには、装着部１４を支持パイプ１３に支持するための支持バー４１が挿入されている。支持バー４１は、連結部材４０に対して２本のピン４０ｄにより固定されている。
【００３４】
支持バー４１は、断面六角形状をなし直線状に延びている。支持バー４１は、その軸線を前後方向に向けて水平に配置されている。支持バー４１には、上記装着部１４が同支持バー４１の軸線に沿って移動可能に支持されている。
【００３５】
図３及び図４に示すように、装着部１４は、カバー４３、クランプ４４、一対のボールロッド４５及び押え部材４６を備えている。カバー４３は、略三角形状の上壁４３ａ、下壁４３ｂ、及び３つの側壁４３ｃにより形成されている。各ボールロッド４５は、ボール部材４５ａと、略Ｌ字状のロッド４５ｂとからなる。各ボールロッド４５のロッド４５ｂには、サイドドラムＳＤが固定具１を介してそれぞれ固定される（図７参照）。各ボール部材４５ａは、カバー４３内にて外側部に配置されると共に、カバー４３の下方から押え部材４６により旋回可能に支持されている。
【００３６】
カバー４３には押え部材４６が一端部にてピンにより回動可能に連結され、他端部にてネジ４８及びそれに螺合されたＴ型ナット４９によりカバー４３に締結されている。Ｔ型ナット４９を締め付けると、ボール部材４５ａの回動が規制され、ロッド４５ｂの支持パイプ１３に対する傾斜角度が規制されることにより、各サイドドラムＳＤの傾斜角度が規制される。一方、Ｔ型ナット４９を緩めると、ボール部材４５ａの回動が可能になり、ロッド４５ｂの支持パイプ１３に対する傾斜角度を調節することができる。本実施形態では、各ボールロッド４５、ネジ４８、及びＴ型ナット４９によって、各サイドドラムＳＤの角度を調節するための角度調節機構ＤＡが形成されている。
【００３７】
図４〜図６に示すように、カバー４３内には、支持バー４１を挿通させてこれに装着部１４を支持するための凹部としての挿通孔５０が形成されている。この挿通孔５０は、支持バー４１を嵌め込み可能な断面形状を有し、同支持バー４１の軸線に沿って直線状に延びている。そして、挿通孔５０は、連結部材４０と対向するカバー４３の側壁４３ｃに開口されている。断面六角形状をなす支持バー４１の上部では、２つの外側面４１ａがそれぞれ挿通孔５０を形成する内壁面５０ａに対して当接され、同支持バー４１の下部では、１つの外側面４１ａがガイド板５１の上面に対して当接されている。また、挿通孔５０内には、樹脂製からなり、かつ長方形状のガイド板５１が配設されている。
【００３８】
カバー４３において、上壁４３ａの内面には、上述した挿通孔５０から延長されて直線状に延びる断面台形状の凹部としての第１溝５３が形成されている。第１溝５３には、支持バー４１がその上部を嵌め込ませるようにして配設されている。支持バー４１の上部では、２つの外側面４１ａがそれぞれ第１溝５３の内壁面５３ａに対して当接されている。
【００３９】
また、上壁４３ａの内面には、クランプ４４を支持するための突起５４が一体形成されている。突起５４は、上壁４３ａの内面から下方に突出している。クランプ４４は、その基端にてピン５５により突起５４に対して回動可能に支持されている。クランプ４４の先端に対応して、カバー４３の上壁４３ａには、カバー４３を貫通する第１貫通孔５６が形成されている。第１貫通孔５６には、取付具としての調節ネジ５７が挿入されている。クランプ４４において、カバー４３の第１貫通孔５６と対応する位置には第２貫通孔６６が形成されている。前記調節ネジ５７は、カバー４３の第１貫通孔５６を介してクランプ４４の第２貫通孔６６に挿入されている。また、調節ネジ５７の先端部にはナット６７が螺合されている。この調節ネジ５７を締め付けると、カバー４３とクランプ４４とが一体に組み付けられる。
【００４０】
また、クランプ４４の上面には、支持バー４１の軸線に沿って直線状に延びる断面台形状の凹部としての第２溝６０が形成されている。この第２溝６０には、支持バー４１がその下部を嵌め込ませるようにして配設されている。支持バー４１の下部では、２つの両外側面４１ａがそれぞれ第２溝６０の内壁面６０ａに対して当接されている。
【００４１】
クランプ４４の第２溝６０の略中央には、同第２溝６０の延設方向と直交する壁６２が設けられ、支持バー４１の先端部にはビス６３が固着されている。これにより、装着部１４は、クランプ４４の壁６２と支持バー４１のビス６３とが当接するまで後方（図４に示す左方向）に移動可能である。本実施形態では、壁６２及びビス６３によって、支持バー４１から装着部１４が脱落するのを防止するための脱落防止手段が形成されている。
【００４２】
調節ネジ５７を締め付けると、カバー４３及びクランプ４４により支持バー４１が上下方向から強く挟持され、同支持バー４１に対する装着部１４の位置が固定される。一方、調節ネジ５７を緩めると、支持バー４１に対する装着部１４の位置を変更することが可能になる。本実施形態では、カバー４３、クランプ４４、調節ネジ５７によって、各サイドドラムＳＤの前後方向の位置を調節するための前後位置調節機構ＬＡが形成されている。
【００４３】
さて、このように構成されたタムホルダ１０を用いれば、各サイドドラムＳＤの高さが高さ調節機構ＨＡにより調節され、各サイドドラムＳＤの角度が角度調節機構ＤＡにより個別に調節される。そして、各サイドドラムＳＤの高さ及び角度が調節された後、前後位置調節機構ＬＡにより支持バー４１に対して装着部１４を水平移動させることで、両サイドドラムＳＤの位置関係を維持した状態で、両サイドドラムＳＤの前後方向の位置が調節される。こうした一連の手順を通じて、各サイドドラムＳＤの位置が演奏者にとって最も演奏し易い位置に配置される。
【００４４】
次に、タムホルダ１０の作用について図７及び図１２を参照し、従来例と比較しながら詳細に説明する。尚、図７は、本実施形態のタムホルダ１０を模式的に示したもので、図１２は、従来構成のタムホルダを模式的に示したものである。
【００４５】
図１２に示すように、従来のタムホルダでは、サイドドラムＳＤの前後方向の位置を調節する前後位置調節機構ＬＡが、前述したように、取付具１２１と支持バー１２２とから構成されている。この場合、サイドドラムＳＤの荷重が作用する荷重点Ｐと支持バー１２２が固定されている固定点Ｑとの間隔ｄ１が広いため、取付具１２１と支持バー１２２との間にはこじれが生じている。
【００４６】
一方、本実施形態のタムホルダ１０では、上記従来構成とは異なり、前後位置調節機構ＬＡが、支持パイプ１３から前後方向に延びる支持バー４１と、支持バー４１に対して移動可能に支持される装着部１４とから構成されている。この場合、サイドドラムＳＤの荷重が作用する荷重点Ｐと、支持バー４１が固定されている固定点Ｑ（調節ネジ５７による締付箇所）との間隔はｄ２である。この構成によれば、前後位置調節機構ＬＡが装着部１４のそれ自体に設けられており、そのため、荷重点Ｐと固定点Ｑとの間隔ｄ２が図１２に示す間隔ｄ１に比して大幅に縮小されている。これにより、支持バー４１の固定点Ｑに加えられる荷重が低減されるため、支持バー４１と装着部１４との間にこじれが生じるのを極力抑制することができる。よって、サイドドラムＳＤを装着部１４に装着したままでも容易に水平移動させることが可能になる。
【００４７】
本実施形態によれば、以下のような効果を得ることができる。
（１）タムホルダ１０は、前後方向に延びる支持バー４１と、支持バー４１に対しその軸線方向に移動可能に支持された装着部１４とを備えている。また、タムホルダ１０は、装着部１４に装着されたサイドドラムＳＤの前後方向の位置を調節するための前後位置調節機構ＬＡを備えている。この場合、支持バー４１に対する装着部１４の位置を変更することによって、サイドドラムＳＤの水平方向の位置を調節することが可能になる。また、この場合、サイドドラムＳＤの荷重が作用する荷重点Ｐと支持バー４１が固定されている固定点Ｑとの間隔ｄ２が従来構成の場合に比して大幅に縮小される。これにより、支持バー４１の固定点Ｑに加えられる荷重が低減されるため、支持バー４１とそれに支持される装着部１４との間にこじれが生じるのを極力抑制することができる。よって、サイドドラムＳＤを装着部１４に装着したままでも容易に水平移動させることが可能になる。
【００４８】
（２）カバー４３内に形成された挿通孔５０、カバー４３の上壁４３ａの内面に設けられた第１溝５３、及びクランプ４４の上面に形成された第２溝６０はいずれも支持バー４１の軸線に沿って延びている。そして、装着部１４は、これら挿通孔５０、第１及び第２溝５３，６０内にて支持バー４１に対して支持されている。この場合、支持バー４１が挿通孔５０、第１及び第２溝５３，６０内を移動することによって、支持バー４１に対しその軸線方向に装着部１４を円滑に移動させることができ、各サイドドラムＳＤの前後方向の位置を容易に調節することが可能になる。また、この場合、カバー４３とクランプ４４とが締め付けられていなくても、支持バー４１がカバー４３の挿通孔５０に挿通されていることから、支持バー４１と装着部１４との間にガタが生じるのを極力抑制することもできる。
【００４９】
（３）支持バー４１は断面六角形状をなし、第１及び第２溝５３，６０はそれぞれ断面台形状に形成されている。そして、装着部１４は、第１及び第２溝５３，６０に対して支持バー４１の上部と下部とをそれぞれ嵌め込ませて支持されている。これにより、外部から強い衝撃や振動が加えられたとしても、装着部１４に装着された各サイドドラムＳＤが支持バー４１の軸線周りに回動しないようにすることができる。よって、支持バー４１に対して装着部１４を確実に固定することができ、位置調節後に各サイドドラムＳＤをその位置に確実に保持することができる。
【００５０】
（４）カバー４３の挿通孔５０内には樹脂製のガイド板５１が配設されている。装着部１４が支持バー４１に対して移動する際、支持バー４１とガイド板５１とを互いに摺動させることによって、装着部１４を支持バー４１に対してより一層円滑に移動することが可能になる。また、挿通孔５０に対して支持バー４１がきつく嵌め込まれている場合にあっても、装着部１４とガイド板５１との摺動が繰り返し行われることでガイド板５１の圧縮変形や摩耗が生じ、結果として支持バー４１に対する装着部１４の移動が次第に円滑なものとなる。
【００５１】
（５）調節ネジ５７は、カバー４３の第１貫通孔５６を介してクランプ４４の第２貫通孔６６に挿入され、また、調節ネジ５７の先端部にはナット６７が螺合されている。この場合、調節ネジ５７によりカバー４３とクランプ４４とを締め付けると、カバー４３とクランプ４４とにより支持バー４１が強く挟持される。これにより、支持バー４１に対して装着部１４が固定されるため、位置調節後に各サイドドラムＳＤをその位置に確実に保持することができる。
【００５２】
（６）タムホルダ１０は、第２溝６０の略中央に設けられた壁６２と、支持バー４１の端部に固着されたビス６３とからなる脱落防止手段を備えている。この場合、各サイドドラムＳＤの前後方向の位置を調節する際、重量物であるサイドドラムＳＤが装着部１４と共に支持バー４１から抜け落ちてしまうことを防止することができる。
【００５３】
（７）タムホルダ１０は、各サイドドラムＳＤの角度を調節するための角度調節機構ＤＡを備えている。この角度調節機構ＤＡを通じて、各サイドドラムＳＤの角度を調節することができ、各サイドドラムＳＤの位置をより演奏し易い位置に配置することが可能になる。
【００５４】
（８）タムホルダ１０は、各サイドドラムＳＤの高さを調節するための高さ調節機構ＨＡを備えている。この高さ調節機構ＨＡを通じて、下段パイプ３１に対する上段パイプ３２の位置を変更して、支持パイプ１３の全体の長さを調節することができる。これにより、サイドドラムＳＤの高さを調節することができ、各サイドドラムＳＤをより一層演奏し易い位置に配置することが可能になる。
【００５５】
（９）タムホルダ１０は、バスドラムＢＤに固定される固定部１２を備え、その固定部１２には支持パイプ１３が着脱可能に装着されている。この場合、固定部１２から支持パイプ１３を取外すことができ、別のバスドラムＢＤに対して支持パイプ１３を付け替えることもできる。従って、汎用性の高いタムホルダ１０を実現することができる。
【００５６】
なお、上記実施形態は以下のように変更してもよい。
・図１２に示す従来構成のタムホルダでは、支持バー１２２を移動可能に支持する取付具１２１がバスドラムＢＤの胴体に固定されている。このため、図８に示すように、バスドラムＢＤの胴体に挿入孔を形成し、支持パイプ７３のバスドラムＢＤへの挿入量を変更してサイドドラムＳＤの高さを調節する高さ調節機構ＨＡを採用することはできない。その点、本実施形態のタムホルダ１０では、前後位置調節機構ＬＡが装着部１４のそれ自体に設けられているため、図８に示される高さ調節機構ＨＡを採用することができ、それにより、サイドドラムＳＤの高さ方向について調節可能な範囲をより一層広げることができる。尚、図８に示すタムホルダでは、固定部７２に対する支持パイプ７３の位置、即ち各サイドドラムＳＤの高さを決めるためのメモリロック７４が支持パイプ７３に装着されている。
【００５７】
・本実施形態において、各サイドドラムＳＤの高さを調節するための高さ調節機構ＨＡを省略してもよい。
・本実施形態において、装着部１４の支持構造として、挿通孔５０や第１及び第２溝５３，６０間に画成される空間に支持バー４１を挿通させる方法を採用したが、これ以外の方法を採用してもよい。例えば、図９に示すように、軸線に沿って延びる溝９２を支持バー９１に形成し、同溝９２と係合可能な突起９３を装着部９４に設けるといった方法を採用してもよい。この場合、突起９３を溝９２に沿って移動させることで、装着部９４を支持バー９１の軸線に沿って移動させることができる。
【００５８】
・本実施形態において、装着部１４を支持するために支持バー４１を用いたが、任意の形状の支持部材を採用してもよい。例えば、図１０（ａ），（ｂ）に示すように、支持パイプ１３の上端に板状の支持プレート１０１を設け、これに対して装着部１４を移動可能に支持するようにしてもよい。この場合、支持プレート１０１には、前後方向（図１０（ｂ）に示す左右方向）に延びる２つの長孔１０１ａが形成されている。そして、装着部１４は、その上方から締結ネジ１０２を締め付けると前後方向の位置が固定される一方、締結ネジ１０２を緩めると前後方向の位置が調節可能になる。
【００５９】
・本実施形態において、装着部１４は１本の支持バー４１に支持されていたが、複数本の支持バーによる支持構造を採用してもよい。例えば、図１１に示すように、２本の支持バー１１１を水平方向にそれぞれ配置し、両支持バー１１１に対し装着部１４を移動可能に支持する構成を採用してもよい。この場合、支持バー１１１は断面多角形状に限らず、断面円形状であってもよい。
【００６０】
・本実施形態において、支持バー４１及び挿通孔５０はいずれも断面六角形状であったが、これ以外にも、例えば三角形、四角形等、任意の多角形に変更してもよい。また、この場合、支持バー４１の断面形状に応じて、第１溝５３及び第２溝６０の断面形状をそれぞれ適宜変更してもよい。
【００６１】
・本実施形態において、ガイド板５１は樹脂製であったが、例えばセラミックスや金属や等で潤滑性に優れる材料であれば任意のものを採用してもよい。
・本実施形態において、タムホルダ１０により支持可能なサイドドラムＳＤの数を適宜変更してもよい。この場合、タムホルダ１０が備えるボールロッド４５の数は、支持されるサイドドラムＳＤの数量に応じて設定される。
【００６２】
・本実施形態において、サイドドラムＳＤの角度を調節するための角度調節機構ＤＡを省略してもよい。
・本実施形態において、タムホルダ１０は、バスドラムＢＤ上にサイドドラムＳＤを支持する支持装置として具体化されていたが、例えば、折り畳み可能な脚板を備えるスタンドによりサイドドラムＳＤを支持する支持装置としてもよい。
【図面の簡単な説明】
【００６３】
【図１】本実施形態のタムホルダによりサイドドラムがバスドラム上に支持された状態を示す斜視図。
【図２】タムホルダの全体構成を示す斜視図。
【図３】タムホルダの分解斜視図。
【図４】図２の４−４線に沿った断面図。
【図５】図２の５−５線に沿った断面図。
【図６】図２の６−６線に沿った部分断面図。
【図７】本実施形態のタムホルダにサイドドラムが装着された状態を示す模式図。
【図８】変形例のタムホルダの取付構造を示す斜視図。
【図９】変形例の装着部の支持構造を示す部分断面図。
【図１０】（ａ）は変形例の装着部の支持構造を模式的に示す部分側面図、（ｂ）は（ａ）の支持構造を模式的に示す部分底面図。
【図１１】変形例の装着部の支持構造を模式的に示す部分側面図。
【図１２】従来のタムホルダにサイドドラムが装着された状態を示す模式図。
【図１３】従来のタムホルダの装着部を示す部分側面図。
【図１４】従来のタムホルダの装着部を示す部分側面図。
【図１５】従来のタムホルダについてその装着部を一部破断して示す斜視図。
【符号の説明】
【００６４】
１０…タムホルダ（支持装置）、１２…固定部、１３…支持パイプ（支柱）、１４…装着部、３１…下段パイプ、３２…上段パイプ、４１…支持バー、４１ａ…外側面、４３…カバー、４４…クランプ、５０…挿通孔（凹部）、５０ａ…内壁面、５１…ガイド板、５３…第１溝（凹部）、５３ａ…内壁面、５７…締め付けボルト（締付具）、６０…第２溝（凹部）、６０ａ…内壁面、６２…壁（脱落防止手段）、６３…ビス（脱落防止手段）、ＢＤ…バスドラム、ＳＤ…サイドドラム、ＨＡ…高さ調節機構、ＤＡ…角度調節機構、ＬＡ…前後位置調節機構。
【図１】
0004612513.tif 000002
【図２】
0004612513.tif 000003
【図３】
0004612513.tif 000004
【図４】
0004612513.tif 000005
【図５】
0004612513.tif 000006
【図６】
0004612513.tif 000007
【図７】
0004612513.tif 000008
【図８】
0004612513.tif 000009
【図９】
0004612513.tif 000010
【図１０】
0004612513.tif 000011
【図１１】
0004612513.tif 000012
【図１２】
0004612513.tif 000013
【図１３】
0004612513.tif 000014
【図１４】
0004612513.tif 000015
【図１５】
0004612513.tif 000016